(57)【要約】      （修正有）【課題】緊急時の位置特定が容易になり、正確な緯度経度値の読み取れ、ＧＰＳ等の数値データを地図上に正確に落とせる等の効果があり、二次災害の防止にも繋がると共に捜索活動の重複の防止、対策本部や捜索、救助用ヘリコプターとの確実な位置交信ができる検索地図を提供する。【解決手段】災害救助活動用検索地図作成装置は、地図画像データ２と、第一所定間隔で緯度線及び第二所定間隔で経度線を有する経緯度データ３と、前記第一所定間隔より細かく、かつ第一所定間隔を等分する第三所定間隔で複数の横線及び第二所定間隔を等分する第四所定間隔で縦線が複数描かれていることにより互いに区分された複数のブロックが形成されており、前記各ブロックに固有の符号が記載されている電子ナビゲーションシート画像４を入力し、それらのデータを重ね合わせる中央演算装置１を備えたことを特徴とする。【選択図】図１
0003140260.tif 000002
【実用新案登録請求の範囲】
【請求項１】
電子地図画像データと、第一所定間隔で緯度線及び第二所定間隔で経度線を有する経緯度データと、前記第一所定間隔より細かく、かつ第一所定間隔を等分する第三所定間隔で複数の横線及び第二所定間隔を等分する第四所定間隔で縦線が複数描かれていることにより互いに区分された複数のブロックが形成されており、前記各ブロックに固有の符号が記載されている電子ナビゲーションシート画像を入力し、それらのデータを重ね合わせる中央演算装置を備えたことを特徴とする災害救助活動用検索地図作成装置。
【請求項２】
第三所定間隔は、電子ナビゲーションシート画像を等分する第五所定間隔で緯度目盛及び、第四所定間隔を等分する第六所定間隔で経度目盛を備えたことを特徴とする請求項１記載の災害救助活動用検索地図作成装置。
【考案の詳細な説明】
【技術分野】
【０００１】  消防・警察等の災害救助・捜索活動際、地図をベースにして活動区域を絞り込む際の地図を作成することに関する。
【背景技術】
【０００２】  地図に現在位置を求めるため地図上へ載せて位置を確認できるシートが知られている。（特許文献１参照）【０００３】
【特許文献１】特開２００６−７９０３７
【０００４】  山中で遭難が発生した場合、対策本部では、通常複数の救助隊を構成する。各救助隊は重複した捜索を行われないように捜索地区をブロック毎に分割して捜索するための捜索地図を上記のシートを用いてコピーで作成し、現地と本部との交信に使われていた。
【考案の開示】
【考案が解決しようとする課題】
【０００５】  捜索ブロックの指示や現場から報告には、ブロック毎の符号が必要であり、コピーして出来た検索地図にブロック符号を書き込んで対処していた。このようにして出来た検索地図を現場で使用する場合も緯度経度と関連がないため、地図上のブロック位置を出すことができず、重複捜索もあった。【０００６】  本考案は、地図単独ではできなかったところの、ブロックの特定が符合・数値できるとともに、正確な緯度経度値の読み取りが可能となり、更にＧＰＳ等の数値データを地図上に正確に落とせることが出来る等の災害救助活動に必要な地図に変え、より使いやすい検索地図をパソコンで作成にすることを提案する。
【課題を解決するための手段】
【０００７】  本考案の災害救助活動用検索地図作成装置は、地図画像データと、第一所定間隔で緯度線及び第二所定間隔で経度線を有する経緯度データと、前記第一所定間隔より細かく、かつ第一所定間隔を等分する第三所定間隔で複数の横線及び第二所定間隔を等分する第四所定間隔で縦線が複数描かれていることにより互いに区分された複数のブロックが形成されており、前記各ブロックに固有の符号が記載されている電子ナビゲーションシート画像を入力し、それらのデータを重ね合わせる中央演算装置を備えたことを特徴とする。【０００８】  更に、第三所定間隔は電子ナビゲーションシート画像を等分する第五所定間隔で緯度目盛を備える。また第四所定間隔を等分する弟六所定間隔で経度目盛を備えたことを特徴とする。
【考案の効果】
【０００９】  従来の地図からはできなかった、ブロックの特定を符号、数値入りの災害救助活動用検索地図がパソコンで出来るので、緊急時の位置特定が容易になり、正しく伝えることができる。又、この検索地図から正確な緯度経度値の読み取れ、ＧＰＳ等の数値データを地図上に正確に落とせる等の効果があり、更に現在居る場所が地図上何処に居るかの確認が可能となるため、二次災害の防止にも繋がると共に捜索活動の重複の防止、遺留品発見場所の特定等現場と対策本部や捜索、救助用ヘリコプターとの確実な位置交信ができるので、一般地形図を災害救助活動に必要な検索地図に変えることができる。
【考案を実施するための最良の形態】
【００１０】  本考案を図に基づいて説明する。図１のごとく、中央演算装置１は、中に電子地図データー２、緯度経度線データー３、電子ナビゲーションシート画像データ４があり、入力されている。【００１１】  図２に示す電子ナビゲーションシート画像データ４は、第一所定間隔を緯度線１分間隔で横線７，８，９を描き、これを緯度１０秒間隔で６等分に分割した横線１７を第三所定間隔とする。更に第三所定間隔を緯度２秒間隔で５等分した目盛１６を第五所定間隔とする。また、第二所定間隔を経度１分線の縦線１０，１１，１２で描き更に、これを経度１０秒間隔で６等分に分割した縦線１８を第四所定間隔とする。更に第四所定間隔を経度２秒間隔で５等分した目盛１５を第六所定間隔とする。【００１２】  第一所定間隔１分緯度線７、８、９と第二所定間隔１分経度線１０，１１，１２で囲まれた４つの大ブロックに、Ａ・Ｂ・Ｃ・Ｄの符号１３をつける。【００１３】  第一所定間隔１分緯度線８と第二所定間隔１分経度線１１との交点にナビゲーションシートの中心を示す小さな丸１４をつける。【００１４】  第一所定間隔１分緯度線７，８，９に第六所定目盛１５を施し、第二所定間隔１分経度線１０，１１，１２に第五所定間隔目盛１６を施す。【００１５】  第三所定間隔１０秒緯度線１７と第四所定間隔１０秒経度線１８で形成される１４４箇の小ブロックに１から１４４の符号１９をつけた内容のものとなる。【００１６】  地球上の全ての位置は緯度経度で示すことができる。本考案は縮尺１／２５０００電子地図をベースにした電子ナビゲーションシートにした場合のものであり、第一所定間隔と第二所定間隔を緯度・経度線１分間隔にし、第四所定間隔、第五所定間隔を緯度・経度線１０秒間隔が地図描写を隠すことなく表現できるので望ましい。【００１７】  電子ナビゲーションシートは緯度差により経度線間隔が違うため、予め緯度に対応する経度間隔を算出できるプログラムを作成しておき、中央演算処理装置で地域に合った間隔の電子ナビゲーションシート画像が出来るようにすることが好ましく、電子地図画トリミングされたクリックするだけで、自動的に電子ナビゲーションシートが重なった地図にする。【００１８】  図３は、本考案の中央演算装置の処理を示すフローチャート図を示し、ステップＳ１で地図画像データ２を取り込む。次にステップＳ２において、ステップＳ１で取り込んだ地図画像データ３の必要な範囲をトリミング処理する。【００１９】  ステップＳ３で緯度経度線データ３を取り込む。次にステップＳ４において、図４に示すごとく、ナビゲーションシート画像データ４と、緯度経度線データ３と、トリミングされた電子地図画像データ２とを重ね合わせるレイヤー処理する。そしてステップＳ５でレイヤー処理された画像の印刷範囲を選択する。その印刷範囲が選択された画像は、印刷出力される。図５は、印刷された災害救助活動用検索地図の一例を示す。【００２０】  仮に検索地図中心付近の捜索活動が必要な場合、本部と現場班とヘリコプター隊への指示は、第１班は、６５、６６、６７ブロック、第２班は、７７、７８、７９ブロック第３班は６８、８０ブロックのように番号だけで指示できる。【００２１】  現場では、現在地を携帯ＧＰＳで緯度経度値を得て災害救助活動用検索地図の１分緯度経度にある２秒間隔の目盛から地図上の現在位置を読み取って確認することにより、重複捜索の防止がはかれる。【００２２】  現場班とヘリコプター班との交信もブロック番号で行われ、煩わしさがなくなる。【００２３】  本考案の災害救助活動用検索地図作成装置は、緊急を要する災害救助活動用検索地図を備え付けのパソコンとプリンターで手軽に作れ、山岳地帯の活動におおいに貢献できる。
【図面の簡単な説明】
【００２４】
【図１】本考案の災害救助活動用検索地図作成装置を示すブロック図。
【図２】本考案の電子ナビゲーションシート構成図
【図３】中央演算装置の処理を示すフローチャート図
【図４】レイヤー処理を示すイメージ図
【図５】完成した災害救助活動用検索地図
【符号の説明】
【００２５】１  中央演算装置
２  電子地図画像データ
３  緯度経度線データ
４  電子ナビゲーションシート画像データ
６  完成した災害救助活動用検索地図
７  第一所定間隔の１分緯度線
８  第一所定間隔の１分緯度線
９  第一所定間隔の１分緯度線
１０  第二所定間隔の１分経度線
１１  第二所定間隔の１分経度線
１２  第二所定間隔の１分経度線
１３  第一区分線と第二区分線で構成されたブロック区別符号
１４  中央部を示す小さな丸
１５  第六所定間隔の経度目盛
１６  第五所定間隔の緯度目盛
１７  第三所定間隔の１０秒緯度線
１８  第四所定間隔の１０秒経度線
１９  第三所定間隔と第四所定間隔の１０秒緯度経度線で構成された小ブロック数字
イ  地図１分間隔緯度線
ロ  地図１分間隔緯度線
ハ  地図１分間隔緯度線
ニ  地図１分間隔経度線
ホ  地図１分間隔経度線
ヘ  地図１分間隔経度線
【図１】
0003140260.tif 000003
【図２】
0003140260.tif 000004
【図３】
0003140260.tif 000005
【図４】
0003140260.tif 000006
【図５】
0003140260.tif 000007